(57)【要約】【課題】運動時のサポートとして用いることができるだけでなく適宜の温冷手段も付帯でき、筋肉疲労等の回復を図ることが可能な身体装着用のサポーターを提供する。【解決手段】伸縮性を有する生地素材で筒状に形成したサポーターであって、所定長さをもって両端開口した本体部２と、本体部の開口縁部２０に一体的に周回形成した第１環状帯部２１と、第１環状帯部と本体部との境界部３の付近から伸縮性を有する生地素材で所定長さの筒状に形成した折り返し用環体部４と、から構成する。第１環状帯部の伸縮性は、本体部より強い伸縮力をもって形成する。折り返し用環体部は、第１環状帯部と本体部側との境界部付近を取付け位置とし、本体部から連続して形成する。また、該折り返し用環体部の開口縁部には、所定幅をもった周回帯び状の第２環状帯部４１を一体形成し、本体部より強い伸縮力をもたせている。【選択図】図１
2019165822.tif 000002
【特許請求の範囲】
【請求項１】
伸縮性を有する生地素材で筒状に形成した身体装着用のサポーターであって、
所定長さをもって両端が開口したサポーターの本体部と、
該本体部の開口縁部に一体的に周回形成した第１環状帯部と、
該第１環状帯部と本体部との境界部付近から伸縮性を有する生地素材で所定長さの筒状に形成した折り返し用環体部と、
から成ることを特徴とするサポーター。
【請求項２】
前記本体部と前記第１環状帯部を、異なる伸縮性をもった生地素材で形成したことを特徴とする請求項１記載のサボーター。
【請求項３】
前記折り返し用環体部を、前記本体部の一端側又は両端側に形成したことを特徴とする請求項１、又は２記載のサポーター。
【請求項４】
前記第１環状帯部を、前記本体部より強い伸縮力をもって形成したことを特徴とする請求項１、２、又は３記載のサポーター。
【請求項５】
前記該折り返し用環体部の開口縁部に前記本体部より強い伸縮力をもった第２環状帯部を、一体的に周回形成したことを特徴する請求項１、２、３、又は４記載のサポーター。
【請求項６】
前記本体部に、関節、筋肉、靱帯、及び腱の補強又は障害予防のためのテーピンク用に構成したより強い伸縮力を持ったサポート部を一体編成、又は積層形成したことを特徴とする請求項１、２、３、４、又は５記載のサポーター。
【請求項７】
前記第１環状帯部及び前記第２環状帯部を、それぞれ１、又は複数の環状の帯体で構成したことを特徴とする請求項１、２、３、４、５、又は６記載のサポーター。
【発明の詳細な説明】
【技術分野】
【０００１】
本願発明は、身体の膝や肘の関節部や、腕部、脚部、腿部、などへ装着するサポーターに関し、特に、適宜に保温剤や保冷剤の付帯を可能とした伸縮性を有するサポーターに関する。
【背景技術】
【０００２】
身体装着を目的としたサポーターは、従来からその装着部位や目的や用途に応じて種々の機能と形態を持ったものが開発されている。
【０００３】
例えば、本発明の主題である吸熱や温熱を目的としたジェル状、液状、又はシート状、などの保温手段や保冷手段（以下「温冷手段」と略称。）を付帯させたサポーターとしては、サポーターの本体部に専用の収納袋を付設してこれに温冷手段を収納する構成のものが、特許文献１、特許文献２、特許文献３、及び特許文献４、により開示されている。また、サポーター本体部の生地素材の編み組織を密にしたり又は二重構造にしたりして保温性を持たせたものが、特許文献５や特許文献６において開示されている。
【先行技術文献】
【特許文献】
【０００４】
【特許文献１】実開平０１−０６２８２０号公報
【特許文献２】特開平０８−２５７０４９号公報
【特許文献３】特開２００６−３４５９４６号公報
【特許文献４】特開２０１７−１６６０９８号公報
【特許文献５】実用新案登録第３０６０５９１号公報
【特許文献６】特開２０１４−２２３１０６号公報
【発明の概要】
【発明が解決しようとする課題】
【０００５】
上記各文献からも明らかなように、保温や保冷を目的としたサポーターは、常にサポーター本体部に専用の収納袋や挟持領域を設けたものであり、通常のサポーターとして、すなわち保温や保冷を必要としない状態での使用を予定してないものであった。
【０００６】
またこの挟持領域はポケット状でもあるため、そこに収納できる温冷手段には形状等に制限があり、使用部位の選択や装着の仕方に問題があった。
【０００７】
さらに、従来型の筒状のサポーターの両端部を単純に折り返して温冷手段を挟み込むことも可能であるが、この方法は便宜的であるため、その保持は安定性が欠けるものであった。また、長時間の使用にあっては、ズレや脱落のおそれがあった。
【０００８】
そこで、本願発明は上記のような課題の解決を目的として行ったものであり、運動時における通常のサポートとして用いることができると共に、必要に応じて適宜の温冷手段を付帯させて、筋肉疲労等の回復を図ることを目的とした身体装着用のサポーターを提供することにある。
【課題を解決するための手段】
【０００９】
そこで、本発明の身体装着用のサポーターは、以下の構成を取っている。
【００１０】
伸縮性を有する生地素材で筒状に形成した身体装着用のサポーターであって、所定長さをもって両端が開口したサポーターの本体部と、該本体部の開口縁部に一体的に周回形成した第１環状帯部と、該第１環状帯部と本体部との境界部付近から伸縮性を有する生地素材で所定長さの筒状に形成した折り返し用環体部と、から成ることを特徴としている。前記折り返し用環体部は、前記本体部の一端側にのみ、又は両端側にそれぞれ形成するようにしても良い。前記第１環状帯部の伸縮性は、前記本体部と同じでも良く、必要により前記本体部より強い伸縮力をもって形成しても良い。また、前記本体部と前記折り返し用環体部、及び第１環状帯部を、それぞれ異なる伸縮性をもった生地素材で形成してもよい。
【００１１】
ここで、前記折り返し用環体部は、第１環状帯部と本体部側との境界部付近を取付け位置として、本体部から連続した所定長さの筒状に形成したものである。別言すると、折り返し用環体部を本体部の外側面上に折り返したときに第１環状帯部が、サポーターの開口縁部に周回した帯状体として露出した状態（又は延出した状態）を呈した構成である。この構成を採ることにより、本体部の生地素材と折り返し用環体部の生地素材が連続した状態を呈すると共に、前記折り返し用環体部がサポーターの身体装着部位へ定着性や皮膚とのなじみを良くする効果を奏する。かつ折り返し用環体部の折り目部分の盛り上がりを無くして、使用中のズレや運動時の他所との接触や引っ掛かりを回避することができる。これにより外観性及び身体感覚を高め、より一体性を感じさせる効果を奏するものとなる。
【００１２】
また、前記該折り返し用環体部の開口縁部には、所定幅をもった周回帯状の第２環状帯部を一体形成しても良く、かつ前記本体部より強い伸縮力をもたせている。
【００１３】
これにより、折り返し用環体部を本体部側に折り返した場合に、サポーターの定着性や皮膚とのなじみを良くする効果を奏すると共に折り返し用環体部と本体部との間に挟持させた温冷手段のズレや脱落をより効果的に防止することができる。
【００１４】
さらに、身体装着部位を膝や肘として用いるサポーターである場合は、前記本体部に関節、筋肉、靱帯、及び腱の補強又は障害予防のためのテーピンク用に仕様したより強い伸縮力を持ったサポート部を一体編成、又は別体重畳形成若しくは積層形成したことを特徴としている。なお、この「一体編成」とは、生地素材を編み込んで行くときの糸の弾性力を違えて織っていくことを意味する。また「別体重畳形成」とは、本体部の生地素材とは異なる強弾性の織素材又は不織素材を用いて重ね貼り状に形成したことを意味する。
【００１５】
さらに、上記の第１環状帯部及び前記第２環状帯部は、それぞれ帯状体を１周回又は長さ方向に複数周回させて環状帯部体で構成するようにしても良い。
【００１６】
上記構成の本願発明のサポーターは、必要時に折り返し用環体部を本体部側に折り返して重ねた状態とし、適宜に物を挟持させて使用できるようにしたものである。
【発明の効果】
【００１７】
上記構成により、折り返し用環体部を本体部の上面側（又は外周面側）に折り返して重ね、その重ね合わせた間に、温冷手段を挿入して挟持することができる。また、上記挟持物の取り外しは、本体部の上面側の折り返し用環体部を持ち上げて挟持物を引き出すだけである。
【００１８】
さらに、第１環状帯部及び前記第２環状帯部のそれぞれを複数の帯状体の巻回で構成することにより、身体に対する締め付け力を高めたり、その挟持範囲を広く取ることができ、身体装着時への保持力を高めることもできる。
【図面の簡単な説明】
【００１９】
【図１】本実施例のサポーターを示す一部切り欠き斜視図である。
【図２】図１のＡＡ線断面図である。
【図３】本実施例のサポーターの使用例を示す側面図である。
【図４】本実施例のサポーターの使用例を示す斜視図である。
【図５】本実施例のサポーターの使用例を示す斜視図である。
【図６】本実施例のサポーターの使用例を示す斜視図である。
【図７】本実施例のサポーターの使用例を示す斜視図である。
【発明を実施するための形態】
【００２０】
以下に、本願発明に係るサポーターの最良の実施例を、図面に基づき詳細に説明する。なお、各構成要素の名称は、本発明での機能を考慮して定義したものであって、本発明の技術的構成要素を限定する意味のものではない。また、各構成要素に定義されたそれぞれの名称は、当業界では他の名称で称することがある。
【００２１】
なお、本実施例のサポーター１は、主に身体部位Ｂの膝や肘回りへの使用を目的として形成したサポーターとして、以下に説明する。
【００２２】
本実施例のサポーター１は、主に本体部２と、本体部２の両端開口付近に連続させて形成した折り返し用環体部４と、から成り、両者とも伸縮性を有する任意繊維の生地素材（例えば、編布、織布、又は不織布、など）で形成している。
【００２３】
まず、本体部２は、両端を開放した筒状体を成すと共に、両端の開口縁部２０には、本体部２より多少厚めの又は同様素材で所定幅をもった帯状の第１環状帯部２１を周回状に一体形成している。この第１環状帯部２１は、本体部２の伸縮力より強い伸縮力をもたせて形成している。なお、身体使用部位によっては前記第１環状帯部２１の伸縮力を本体部２と同じにしても良い。
【００２４】
また、本体部２の中間付近には、関節、筋肉、靱帯、及び腱の補強、又はケガや障害予防を目的とした既存公知の又は特有効果を狙ったテーピング仕様に構成した強い伸縮力を持ったサポート部２２を配設している。なお、テーピング仕様は本願発明の主眼ではないため、詳細な構成は省略する。このサポート部２２の素材としては、織布、不織布、樹脂性シート、又は非金属メッシュ、等の素材で一体的に形成している。
【００２５】
上記の第１環状帯部２１と本体部２との境界部３からは、それぞれ筒状の折り返し用環体部４を連続状に形成している。この折り返し用環体部４は、前記境界部３から本体部２に重ね合わせたとき、いわば本体部２と二層状態となるように形成している。なお、折り返し用環体部４は、本実施例では、本体部２と同様の生地素材で編成しているが、伸び率の異なる素材で形成しても良い。むしろ、物を挟持させることを考慮すると、折り返し用環体部４の方が、より強い伸縮力であることが好ましい仕様である。
【００２６】
この折り返し用環体部４の筒状の長さ寸法（又は母線の長さ）は、本実施例では本体部２の長手寸法の略半分程度に設定しており、その開放した開口縁部４０には本体部２と同様構成の第２環状帯部４１を周回状に形成している。
（使用方法）
【００２７】
上記のように構成したサポーターは、折り返し用環体部４を本体部２に折り返した状態で、筒状の本体部２の開口縁部４０をくぐらせるようにして身体Ｂに装着し、そして開口縁部４０の第１環状帯部２１付近を引っ張りながら身体Ｂの所望の部位（膝、肘、腕、上腕、脛、等）に移動させて装着する。
【００２８】
折り返し用環体部４を折り返さずに本体部２の開口縁部２０から外側方向へ延ばした状態では、本体部２の両端方向に別途、筒状体が付加されて合計３区画の筒状体が連結した外観となる。この状態では、同一又は異なる伸縮性を持った本体部２と両端側の第１環状帯部２１及び第２環状帯部４１とで、異なる伸縮力又は締め付け力をもったロング型のサポーターとして使用することもできる。
【００２９】
一方、折り返し用環体部４は、本体部２と第１環状帯部２１との境界部３を折り線として、本体部２の中間側に裏返すようにして折り重ねることができる（矢印Ｍ）。この折り重ねた状態では、折り返し用環体部４の第２環状帯部４１が、本体部２の外側表面の約半分を被って二層状態になる。このとき、折り重ねて向き合った第２環状帯部４１どうしが本体部２の中間位置で接近した状態になる。そして、第１環状帯部２１は、本体部２の両端縁部２０で露出した状態を呈することとなる。
【００３０】
この第１環状帯部２１の両端縁部２０からの露出構造を取ることにより、折り返し用環体部４の本体部２への隙間のない密着性を確保できる共に、二層構造となってより安定した締め付け力を確保できることとなる。
【００３１】
本実施例のように構成したサポーター１では、本体部２と折り返し用環体部４との二層部分の間は、折り返し用環体部４の伸縮力が挟持力となる挟持領域５が形成される。
【００３２】
この挟持領域５には、適宜な大きさの温冷手段である温冷剤６を挿入して挟持して保持することが可能となる。また、温冷剤６の挟持は上記二層部間で行われるため、位置を特定することなく適宜の周回位置で挟んで保持することができる。また下側のみ（図５）又は上下両方（図６）での保持であっても良く、様々な使用形態が可能となる。
【００３３】
また、上記挟持領域５は、上述したように周回状に形成されているため、長いタイプの温冷剤６１であっても周回状に保持することができる。さらに、必要部位によっては、長いタイプの温冷剤６１を、上下の挟持領域５に渡って保持する形態（図７）の使用も可能となる。
［他の実施形態例］
【００３４】
上記実施例のサポーターは、装着する身体Ｂの膝や肘に装着する場合として説明したが、これに限定するものではなく、装着部位を関節部位でない腕、上腕、大腿部、脛、等への使用を目的とするのであれば、前記テーピングを考慮したサポート部２２を設けない仕様としても良い。
【符号の説明】
【００３５】
１  サポーター
２  本体部
２０  開口縁部
２１  第１環状帯部
２２  サポート部
３  境界部
４  折り返し用環体部
４０  開口縁部
４１  第２環状帯部
５  挟持領域
６  温冷剤
６１  長いタイプの温冷剤
Ｂ  身体
【図１】
2019165822.tif 000003
【図２】
2019165822.tif 000004
【図３】
2019165822.tif 000005
【図４】
2019165822.tif 000006
【図５】
2019165822.tif 000007
【図６】
2019165822.tif 000008
【図７】
2019165822.tif 000009
【手続補正書】
【提出日】平成30年7月27日(2018.7.27)
【手続補正１】
【補正対象書類名】特許請求の範囲
【補正対象項目名】全文
【補正方法】変更
【補正の内容】
【特許請求の範囲】
【請求項１】
伸縮性を有する生地素材で筒状に形成した身体装着用のサポーターであって、
所定長さをもって両端が開口したサポーターの本体部と、
該本体部の開口縁部に所定の幅をもって、かつ前記本体部より強い伸縮性をもって一体的に周回形成した第１環状帯部と、
該第１環状帯部と前記本体部との境界部から伸縮性を有する生地素材で所定長さの筒状に、かつ前記本体部方向に形成した折り返し用環体部と、
から成ることを特徴とするサポーター。
【請求項２】
前記本体部と前記第１環状帯部を、異なる伸縮性をもった生地素材で形成したことを特徴とする請求項１記載のサボーター。
【請求項３】
前記折り返し用環体部を、前記本体部の一端側又は両端側に形成したことを特徴とする請求項１、又は２記載のサポーター。
【請求項４】
前記第１環状帯部を、前記本体部より強い伸縮力をもって形成したことを特徴とする請求項１、２、又は３記載のサポーター。
【請求項５】
前記折り返し用環体部の開口縁部に前記本体部より強い伸縮力をもった第２環状帯部を、一体的に周回形成したことを特徴する請求項１、２、３、又は４記載のサポーター。
【請求項６】
前記本体部に、関節、筋肉、靱帯、及び腱の補強又は障害予防のためのテーピング様に構成した前記本体部より強い伸縮力を持ったサポート部を一体編成、又は積層形成したことを特徴とする請求項１、２、３、４、又は５記載のサポーター。
【請求項７】
前記第１環状帯部及び前記第２環状帯部のそれぞれを、１、又は複数の帯状体の巻回で構成したことを特徴とする請求項５、又は６記載のサポーター。
【手続補正２】
【補正対象書類名】明細書
【補正対象項目名】００１０
【補正方法】変更
【補正の内容】
【００１０】
伸縮性を有する生地素材で筒状に形成した身体装着用のサポーターであって、所定長さをもって両端が開口したサポーターの本体部と、該本体部の開口縁部に所定の幅をもって、かつ前記本体部より強い伸縮性をもって一体的に周回形成した第１環状帯部と、該第１環状帯部と前記本体部との境界部から伸縮性を有する生地素材で所定長さの筒状に、かつ前記本体部方向に形成した折り返し用環体部と、から成ることを特徴としている。前記折り返し用環体部は、前記本体部の一端側にのみ、又は両端側にそれぞれ形成するようにしても良い。前記第１環状帯部の伸縮性は、前記本体部と同じでも良く、必要により前記本体部より強い伸縮力をもって形成しても良い。また、前記本体部と前記折り返し用環体部、及び第１環状帯部を、それぞれ異なる伸縮性をもった生地素材で形成してもよい。
【手続補正３】
【補正対象書類名】明細書
【補正対象項目名】００１２
【補正方法】変更
【補正の内容】
【００１２】
また、前記折り返し用環体部の開口縁部には、所定幅をもった周回帯状の第２環状帯部を一体形成しても良く、かつ前記本体部より強い伸縮力をもたせている。
【手続補正４】
【補正対象書類名】明細書
【補正対象項目名】００１４
【補正方法】変更
【補正の内容】
【００１４】
さらに、身体装着部位を膝や肘として用いるサポーターである場合は、前記本体部に関節、筋肉、靱帯、及び腱の補強又は障害予防のためのテーピング用に仕様した前記本体部より強い伸縮力を持ったサポート部を一体編成、又は別体重畳形成若しくは積層形成したことを特徴としている。なお、この「一体編成」とは、生地素材を編み込んで行くときの糸の弾性力を違えて織っていくことを意味する。また「別体重畳形成」とは、本体部の生地素材とは異なる強弾性の織素材又は不織素材を用いて重ね貼り状に形成したことを意味する。
【手続補正書】
【提出日】平成30年10月12日(2018.10.12)
【手続補正１】
【補正対象書類名】特許請求の範囲
【補正対象項目名】全文
【補正方法】変更
【補正の内容】
【特許請求の範囲】
【請求項１】
伸縮性を有する生地素材で筒状に形成した身体装着用のサポーターであって、
所定長さをもって両端が開口したサポーターの本体部と、
該本体部の開口縁部に所定の幅をもって、かつ前記本体部より強い伸縮性をもって一体的に周回形成した第１環状帯部と、
該第１環状帯部と前記本体部との境界部から前記本体部に向かう方向の外側表面に、伸縮性を有する生地素材で所定長さの筒状に形成した折り返し用環体部と、
から成ることを特徴とするサポーター。
【請求項２】
前記本体部と前記第１環状帯部を、異なる伸縮性をもった生地素材で形成したことを特徴とする請求項１記載のサボーター。
【請求項３】
前記折り返し用環体部を、前記本体部の一端側又は両端側に形成したことを特徴とする請求項１、又は２記載のサポーター。
【請求項４】
前記第１環状帯部を、前記本体部より強い伸縮力をもって形成したことを特徴とする請求項１、２、又は３記載のサポーター。
【請求項５】
前記折り返し用環体部の開口縁部に前記本体部より強い伸縮力をもった第２環状帯部を、一体的に周回形成したことを特徴する請求項１、２、３、又は４記載のサポーター。
【請求項６】
前記本体部に、関節、筋肉、靱帯、及び腱の補強又は障害予防のためのテーピング様に構成した前記本体部より強い伸縮力を持ったサポート部を一体編成、又は積層形成したことを特徴とする請求項１、２、３、４、又は５記載のサポーター。
【請求項７】
前記第１環状帯部及び前記第２環状帯部のそれぞれを、１、又は複数の帯状体の巻回で構成したことを特徴とする請求項５記載のサポーター。
【手続補正２】
【補正対象書類名】明細書
【補正対象項目名】００１０
【補正方法】変更
【補正の内容】
【００１０】
伸縮性を有する生地素材で筒状に形成した身体装着用のサポーターであって、所定長さをもって両端が開口したサポーターの本体部と、該本体部の開口縁部に所定の幅をもって、かつ前記本体部より強い伸縮性をもって一体的に周回形成した第１環状帯部と、該第１環状帯部と前記本体部との境界部から前記本体部に向かう方向の外側表面に、伸縮性を有する生地素材で所定長さの筒状に形成した折り返し用環体部と、から成ることを特徴としている。前記折り返し用環体部は、前記本体部の一端側にのみ、又は両端側にそれぞれ形成するようにしても良い。前記第１環状帯部の伸縮性は、前記本体部と同じでも良く、必要により前記本体部より強い伸縮力をもって形成しても良い。また、前記本体部と前記折り返し用環体部、及び第１環状帯部を、それぞれ異なる伸縮性をもった生地素材で形成しても良い。
【手続補正書】
【提出日】平成30年10月24日(2018.10.24)
【手続補正１】
【補正対象書類名】特許請求の範囲
【補正対象項目名】請求項２
【補正方法】変更
【補正の内容】
【請求項２】
前記本体部と前記第１環状帯部を、異なる伸縮性をもった生地素材で形成したことを特徴とする請求項１記載のサポーター。